(57)【要約】【課題】患者やＸ線管装置を移動させることなく、敏速に患者のＸ線撮影部分とフィルムの位置を微調整することができるようなＸ線写真撮影装置を提供すること。【解決手段】Ｘ線を用いて人体を撮影する撮影装置の中に、人体を天板上に仰臥させたまま天板１を床面６から上下させて床面からの高さを調整する天板上下駆動装置２と、天板上下駆動装置２の上縁に設けられた天板支持台３と、該天板支持台３に固定された天板１と、該天板１と天板支持台３間の隙間１６に形成され、天板１の短手方向に敷設されたＹレール１７と、該Ｙレール１７に沿って移動自在な台部１８と、該台部１８上に設けられたブッキー保持台２０と、該ブッキー保持台２０に回転自在に取り付けたブッキー保持ケース２１と、を有することを特徴とするＸ線写真撮影装置。【選択図】図１
2004033646.tif 000002
【特許請求の範囲】
【請求項１】
Ｘ線を用いて人体を撮影する撮影装置の中に、人体を天板上に仰臥させたまま、人体の各部分をＸ線撮影を行うＸ線撮影装置において、
Ｘ線を用いて人体を撮影する撮影装置の中に、人体を天板上に仰臥させたまま天板を床面から上下させて床面からの高さを調整する天板上下駆動装置と、
天板上下駆動装置の上縁に設けられた天板支持台と、
該天板支持台に固定された天板と、
該天板と天板間の隙間に形成され、天板の短手方向に敷設されたＹレールと、
該Ｙレールに沿って移動自在な台部と、
該台部上に設けられたブッキー保持台と、
該ブッキー保持台に回転自在に取り付けたブッキー保持ケースと、
を有することを特徴とするＸ線写真撮影装置。
【発明の詳細な説明】
【０００１】
【発明が属する技術分野】
本発明は、Ｘ線写真撮影装置に関し、特に天板が患者を載置したまま、ブッキーを移動させることができるＸ線写真撮影装置に関する。
【０００２】
【従来の技術】
Ｘ線を用いて人体を撮影する撮影装置の中に、人体を天板上に仰臥させたまま、人体の各部分をＸ線撮影を行うＸ線撮影装置がある。
この種の撮影装置は患者を載置する天板を上下動さる天板上下動装置、天板を平行状態で一方向に若干移動させる平行移動レールを持っている。
【０００３】
この種Ｘ線写真撮影装置は、患者を天板上に仰臥させたまま、Ｘ線管を患者の上に移動させて、Ｘ線を患者に向けて照射貫通させ、そのＸ線を患者の下側に配置したフィルムに感光させて患者の患部を撮影する。
【０００４】
【発明が解決しようとする課題】
症例によっては、天板上に仰臥させた患者の位置を微調整したい場合があるが、重量の重い患者自身の位置を微調整することは困難である。また、患者上に配設されたＸ線管を移動させる方法もあるが、重量も重いし、また患者がＸ線管を凝視している場合もあり、Ｘ線管を移動させるのに、手間取った場合、患者に余分な不安を与えかねない。
【０００５】
そこで、本発明は上述の如き不都合を解消しようとするもので、その目的は、患者やＸ線管装置を移動させることなく、敏速に患者のＸ線撮影部分とフィルムの位置を微調整することができるようなＸ線写真撮影装置を提供することにある。
【０００６】
【課題を解決するための手段】
上述のごとき本発明の目的を達成するために、本発明の請求項１に記載の発明は、Ｘ線を用いて人体を撮影する撮影装置の中に、人体を天板上に仰臥させたまま、人体の各部分をＸ線撮影を行うＸ線撮影装置において、Ｘ線を用いて人体を撮影する撮影装置の中に、人体を天板上に仰臥させたまま天板を床面から上下させて床面からの高さを調整する天板上下駆動装置と、天板上下駆動装置の上縁に設けられた天板支持台と、該天板支持台に固定された天板と、該天板と天板間の隙間に形成され、天板の短手方向に敷設されたＹレールと、該Ｙレールに沿って移動自在な台部と、該台部上に設けられたブッキー保持台と、該ブッキー保持台に回転自在に取り付けたブッキー保持ケースと、を有することを特徴とするＸ線写真撮影装置を提供する。
【０００７】
【発明の実施の形態】
次に、本発明の一実施の形態を、図面を用いて詳細に説の側面図である。
図１は本発明の平面図であり、図２はその正面図である。これらの図面において、１は、仰臥した患者を載置する天板である。２は、天板１の下に配置され、これを上下動させる天板上下駆動装置である。３は、前記天板上下駆動装置２の上端に設けられた天板支持台である。４は、天板上下駆動装置２の下部に有する基部である。基部４は、天板上下駆動装置２の下面に設けられ、これの下面に設けられた上下調整ねじ５により床面６上に載置され、本発明の撮影装置全部を支えている。
【０００８】
天板支持台３の下面と基部４の上部間には、周知であり、パンタグラフ状に組まれた上下駆動装置７が設けられているが、本発明の要旨から外れるので、説明は省略する。
【０００９】
天板支持台３の上には天板支え台８が設けられている天板支え台８が設けられている。天板支え台８の４角には、天板支え板９が立設され、それらに天板１が天板支持台３から間隔を開けて固定されている。ここで、天板１の長手方向をＸ方向、それと直行する水平方向（短手方向という）をＹ方向、天板１が上下するする方向をＺ方向と定義する。
【００１０】
図１からわかるように、天板１の側部には、レール１０が床面６上に、天板１の長手方向すなわちｘ方向に敷設されており、そのレール１０上には、車輪１２を持った台車１１が移動自在に設けられ、その台車から上方に支柱１３が垂直に伸びている。支柱１３の先端部から横に延びる腕２２の先端は、側壁２３に固定されたレール２４に沿って移動自在な台車２５に固定されている。支柱１３にはＸ線管支持台１４がその支柱に沿ってＺ方向に上下動自在に設けられ、そのＸ線管支持台にＸ線管１５が取り付けられている。
【００１１】
天板１と天板支持台３間に形成された隙間１６で天板支持台３の上には２本のＹレール１７が張設されている。Ｙレール１７にはそれぞれ台部１８がＹレール１７上で移動自在に設けられている。２つの台部１８間には１本のＸレール１９が架け渡されている。該Ｘレール１９にはブッキー保持台２０がＸレール１９に沿ってＸ方向に移動自在に設けられている。このブッキ−保持台２０には周知のブッキー保持ケース２１が取り付けられている。本発明はこのような構造を保持しているため、ブッキー保持ケース２１は天板１の下面において、Ｘ方向とＹ方向に移動させることができる。勿論撮影時には、ブッキー保持ケース２１にフィルム７を装填したブッキーを装着することは言うに及ばない。また、ブッキー保持ケース２１はブッキー保持台２０に回転自在に保持されており、ブッキー保持台２０の脇に取り付けられているモータ２６により、回転駆動させられる。なお、２７はブッキー保持ケース２１をＸ軸方向に駆動するＸ軸駆動モータ、２８はＹ方向に駆動するＹ軸駆動モータである。
【００１２】
以上、本発明を上述の実施の形態により説明したが、本発明の主旨の範囲内で種々の変形や応用が可能であり、これらの変形や応用を本発明の範囲から排除するものではない。
【００１３】
【発明の効果】
以上詳細に説明したように、本発明の請求項１に記載の発明は、Ｘ線を用いて人体を撮影する撮影装置の中に、人体を天板上に仰臥させたまま天板を床面から上下させて床面からの高さを調整する天板上下駆動装置と、天板上下駆動装置の上縁に設けられた天板支持台と、該天板支持台に固定された天板と、該天板と天板間の隙間に形成され、天板の短手方向に敷設されたＹレールと、該Ｙレールに沿って移動自在な台部と、該台部上に設けられたブッキー保持台と、該ブッキー保持台に回転自在に取り付けたブッキー保持ケースと、を有するので、患者を移動させることなく、敏速に患者のＸ線撮影部分とフィルムの位置を微調整することができる。また、Ｘ線管を患者の上部で移動させたとしてもブッキー部をそれに追従して移動させる事が出来るので、画像とＸ線管の焦点が常に一致するような制御が出来る。
【図面の簡単な説明】
【図１】図１は、本発明に係るＸ線写真撮影装置の平面図である。
【図２】図２は、本発明に係るＸ線写真撮影装置の正面図である。
【図３】図３は、本発明に係るＸ線写真撮影装置のＸ方向側面図である。
【符号の説明】
１・・・・・天板
２・・・・・天板上下駆動装置
３・・・・・天板支持台
４・・・・・基部
５・・・・・上下動調整ねじ
６・・・・・床面
７・・・・・下駆動装置
８・・・・・天板支え台
９・・・・・天板支え板
１０・・・・・レール
１１・・・・・台車
１２・・・・・車輪
１３・・・・・支柱
１４・・・・・ｘ線管支持台
１５・・・・・ｘ線管
１６・・・・・間隔
１７・・・・・Ｙレール
１８・・・・・台部
１９・・・・・Ｘレール
２０・・・・・ブッキー保持台
２１・・・・・ブッキー保持ケース
２２・・・・・腕
２３・・・・・側壁
２４・・・・・レール
２５・・・・・台車
２６・・・・・モータ
２７・・・・・Ｘ軸駆動用モータ
２８・・・・・Ｙ軸駆動用モータ
【図１】
2004033646.tif 000003
【図２】
2004033646.tif 000004
【図３】
2004033646.tif 000005